(57)【特許請求の範囲】
【請求項１】
ミストを生成するミスト生成部を収容するとともに、該ミスト生成部によって生成されたミストを供給口から外部へ送り出す筐体と、
設置面に設置されて前記筐体を支持する支持体と、
前記支持体に対する前記筐体の姿勢を可変とする姿勢可変機構と
を備えたミスト発生装置であって、
前記筐体は、楕円体状に形成されるとともに、その底部には、該筐体の正面側から背面側に向けて延びるガイド孔が形成され、
前記支持体は、板状の台座部と、該台座部に立設された椀状の筐体支持部とを備え、
前記ガイド孔には、前記台座部と前記筐体支持部との連結部分が遊挿されて、前記筐体支持部の略全体が前記筐体によって囲まれるとともに、該筐体支持部の外表面が前記筐体の内表面に沿って延びるように配置されている
ことを特徴とするミスト発生装置。
【請求項２】
前記筐体と前記筐体支持部とを連結する連結部が、前記姿勢可変機構を構成する
ことを特徴とする請求項１に記載のミスト発生装置。
【請求項３】
前記連結部は、前記筐体支持部の上縁から外側へ延びるように形成された一対の固定軸と、前記筐体の内表面から前記筐体支持部に向けて延びるように形成されて前記一対の固定軸に回転可能に支持された一対の回転軸とを備えている
ことを特徴とする請求項２に記載のミスト発生装置。
【請求項４】
前記姿勢可変機構を駆動する駆動部と、
前記駆動部を駆動して前記支持体に対する前記筐体の姿勢を制御する制御部とを備える
ことを特徴とする請求項１〜３のいずれか一項に記載のミスト発生装置。
【請求項５】
請求項１〜４のいずれか一項に記載のミスト発生装置を備えることを特徴とする美容装置。
【発明の詳細な説明】
【技術分野】
【０００１】
本発明は、筐体の内部で生成されたミストを筐体に形成された供給口から筐体の外部へ供給するミスト発生装置およびこれを備えた美容装置に関する。
【背景技術】
【０００２】
従来から、ミスト美容装置等のミスト発生装置では、筐体に内蔵されたミスト生成部にてミストが生成されている。そして、ミスト生成部にて生成されたミストは、筐体に内蔵された送風部の送り出す空気によって筐体の供給口から導出されている。こうしたミスト発生装置では、例えば、特許文献１のように、筐体の外表面において供給口の位置が変わることにより、ミストの供給される方向が用途に合わせて調整されている。
【先行技術文献】
【特許文献】
【０００３】
【特許文献１】特開２０１０−１７２９３号公報
【発明の概要】
【発明が解決しようとする課題】
【０００４】
しかしながら、特許文献１に記載のミスト発生装置では、筐体の外表面に対して供給口の位置を変えることから、供給口の可動範囲が自ずと外表面内に制限される。その上、供給口の位置を変えるための機構を供給口の付近という限られた空間に配設する必要もある。そのため、供給口の可動範囲がますます限られることとなって、ミストを供給可能な範囲が狭くならざるを得ない。こうした問題は、装置の小型化の要請が高まる近年において、特に避けられないものとなっている。
【０００５】
本発明は、このような実情に鑑みてなされたものであり、その目的は、ミストを供給することの可能な方向の範囲を広げることができるミスト発生装置およびこれを備えた美容装置を提供することである。
【課題を解決するための手段】
【０００６】
上記課題を解決するため、本発明のミスト発生装置は、ミストを生成するミスト生成部を収容するとともに、該ミスト生成部によって生成されたミストを供給口から外部へ送り出す筐体と、設置面に設置されて前記筐体を支持する支持体と、前記支持体に対する前記筐体の姿勢を可変とする姿勢可変機構とを備えたミスト発生装置であって、前記筐体は、楕円体状に形成されるとともに、その底部には、該筐体の正面側から背面側に向けて延びるガイド孔が形成され、前記支持体は、板状の台座部と、該台座部に立設された椀状の筐体支持部とを備え、前記ガイド孔には、前記台座部と前記筐体支持部との連結部分が遊挿されて、前記筐体支持部の略全体が前記筐体によって囲まれるとともに、該筐体支持部の外表面が前記筐体の内表面に沿って延びるように配置されていることを要旨とする。
【０００７】
上記構成において、前記筐体と前記筐体支持部とを連結する連結部が、前記姿勢可変機構を構成することが好ましい。
上記構成において、前記連結部は、前記筐体支持部の上縁から外側へ延びるように形成された一対の固定軸と、前記筐体の内表面から前記筐体支持部に向けて延びるように形成されて前記一対の固定軸に回転可能に支持された一対の回転軸とを備えていることが好ましい。
【０００９】
上記構成において、前記姿勢可変機構を駆動する駆動部と、前記駆動部を駆動して前記支持体に対する前記筐体の姿勢を制御する制御部とを備えることが好ましい。
【００１２】
本発明の美容装置は、上記ミスト発生装置を備えることを要旨とする。
【発明の効果】
【００１３】
本発明によれば、ミストを供給することの可能な方向の範囲を広げることができるミスト発生装置およびこれを備えた美容装置を提供できる。
【図面の簡単な説明】
【００１４】
【図１】（ａ）本発明におけるミスト発生装置を備えた美容装置の背面構造を示す背面図、（ｂ）該美容装置の正面構造を示す正面図、（ｃ）該美容装置の側面構造を示す側面図。
【図２】美容装置と電源プラグとの接続の態様を示す図。
【図３】第１実施形態の美容装置を図１（ａ）の１−１線で切断した断面構造を示す断面図。
【図４】第１実施形態の美容装置を図１（ｃ）の３−３線で切断した断面構造を示す断面図。
【図５】第１実施形態の美容装置におけるミストの供給方向の範囲を例示する断面図。
【図６】第２実施形態の美容装置を図１（ｃ）の３−３線で切断した断面構造を示す断面図。
【図７】第３実施形態の美容装置を図１（ｃ）の３−３線で切断した断面構造を示す断面図。
【図８】第４実施形態の美容装置を図１（ｃ）の３−３線で切断した断面構造を示す断面図。
【図９】第５実施形態の美容装置の側面構造を示す側面図。
【図１０】第５実施形態の美容装置の支持台の斜視構造を示す斜視図。
【図１１】第５実施形態の美容装置を図９の４−４線で切断した断面構造を示す断面図。
【図１２】第５実施形態の美容装置の断面構造を示す断面図。
【図１３】第６実施形態の美容装置の支持台の斜視構造を示す斜視図。
【図１４】第６実施形態の美容装置の断面構造を示す断面図。
【図１５】第７実施形態の美容装置の支持台の斜視構造を示す斜視図。
【図１６】第７実施形態の美容装置の断面構造を示す断面図。
【発明を実施するための形態】
【００１５】
（第１実施形態）
以下、本発明のミスト発生装置を備えた美容装置の第１実施形態について説明する。まず、美容装置の全体的な構成について図１及び図２を参照して説明する。
【００１６】
図１（ａ）に示されるように、美容装置１０の支持体１１には、楕円体状に形成された筐体２１が取り付けられている。この筐体２１の背面下側には、多数の貫通孔から構成される空気導入部２１ａが形成されている。一方、図１（ｂ）に示されるように、筐体２１
の正面上側には、これもまた筐体２１を貫通する１つの円形孔である空気導出部２１ｂが形成されている。そして、筐体２１の内部では、上記空気導入部２１ａから筐体２１の内部へ空気が導入されると、該導入された空気が、筐体２１の内部を流通した後に空気導出部２１ｂから導出されるようになっている。また、図１（ｃ）に示されるように、空気導出部２１ｂの上側には、美容装置１０における各駆動部を駆動するための操作部２２が形成されている。この操作部２２は、各駆動部を駆動するための操作信号を利用者の操作に応じて出力する。
【００１７】
図２に示されるように、上記支持体１１に形成されたコネクタ１１ａには、ＵＳＢポートから電源を取り出すための電源ケーブル３１が接続される。そして、商用電源をＵＳＢ電源に変換するＡＣアダプタ３２に電源ケーブル３１のＵＳＢプラグが接続されると、これら電源ケーブル３１とＡＣアダプタ３２とを介して、上記美容装置１０が給電される。すなわち、この美容装置１０の電源には、上記商用コンセントの他、ＵＳＢポートを利用することも可能である。
【００１８】
次に、美容装置１０の内部構造のうち、空気が流れる流路構造について図３を参照して説明する。
図３に示されるように、筐体２１の内部における支持体１１側（図３にて下側）には、上記空気導入部２１ａと向かい合う吸い込み口を有したファン２５が内蔵されている。このファン２５における操作部２２側（図３にて上側）には、上側に開口した送風ポート２５ａが形成されている。ファン２５の送風ポート２５ａには、該送風ポート２５ａと上記空気導出部２１ｂとを連結する送風路２３が取り付けられている。この送風路２３は、送風ポート２５ａから上側へ延びて上記空気導出部２１ｂに向けて屈曲するかたちに形成されている。そして、ファン２５に駆動信号が入力されると、筐体２１における背面側の空気が空気導入部２１ａから筐体２１の内部へ導入されるとともに、筐体２１の内部に導入された空気が送風ポート２５ａから送風路２３内へ送り出された後に空気導出部２１ｂから導出される。
【００１９】
送風路２３の途中には、ミスト生成部２７が連結されている。ミスト生成部２７の内部には、互いに対向する一対の電極である第１の電極２７ａと第２の電極２７ｂとが配設されている。第１の電極２７ａは、放電を行う電極であって、送風路２３の内部に向けて突出する針状に形成されている。また、第１の電極２７ａの基端部には、該第１の電極２７ａの表面温度を所定の温度に冷却するためのペルチェ素子２７ｃが接続されている。一方、第２の電極２７ｂは、接地電極あるいは第１の電極とは極性が反対の電位に設定される電極であって、第１の電極２７ａの先端部側に配置された板状に形成されている。この第２の電極２７ｂにて第１の電極２７ａの先端部と向かい合う部位には、貫通孔が形成されている。
【００２０】
そして、空気導出部２１ｂからミストを導出するための操作信号が操作部２２に入力されると、第１の電極２７ａの表面が所定の温度まで冷却されるべく、ペルチェ素子２７ｃに所定の駆動電流が供給されて第１の電極２７ａが冷却される。これによって、第１の電極２７ａの表面には、空気中の水分が結露する。次いで、この状態から、第１の電極２７ａと第２の電極２７ｂとの間に高電圧が印加されると、第１の電極２７ａの周辺に放電が生じる。そして、第１の電極２７ａの表面に結露した水が放電によりレイリー分裂を起こして静電霧化する。すなわち、第１の電極２７ａと第２の電極２７ｂとの間の空間には、静電霧化方式にてミストが生成される。なお、ここで生成されるミストとは、直径が数ｎｍ〜数百ｎｍの大きさのミストであって、人体の肌における角質層表面に付着し、浸透することによって肌に潤いとハリを与える効果を発現するものである。
【００２１】
この際、上述した操作信号が操作部２２から出力されると、送風路２３に空気流Ａが形
成されるべく、ファン２５に所定の駆動電圧が印可されて送風路２３に空気流Ａが形成される。一方、ミスト生成部２７で生成されたミストは、放電時に印加される電圧によって、少なからず第１の電極２７ａから第２の電極２７ｂに向けた速度成分を有することになる。そして、こうした速度成分を有したミストは、ファン２５の下流にてファン２５による空気流Ａと混合される。そして、ミストを含んだ空気流Ａは、空気導出部２１ｂから美容装置１０の外へ供給される。
【００２２】
なお、上述した送風路２３の上側には、制御部ＣＳが配設されている。制御部ＣＳは、先の操作部２２が出力する操作信号を受けて、該操作信号に対応する駆動信号を各駆動部に出力することにより各駆動部における駆動の態様を制御する。
【００２３】
次に、美容装置１０の内部構造のうち、支持体１１と筐体２１との連結構造について図３〜図５を参照して説明する。
図３に示されるように、支持体１１を構成する板状の台座部１２には、椀状の筐体支持部１３が立設されている。図４に示されるように、上記筐体支持部１３の上縁には、互いに向い合う円柱状の一対の固定軸１４が、筐体支持部１３の外側へ延びるように設置面Ｓに沿って形成されている。そして、この筐体支持部１３の略全体が上記筐体２１によって囲まれている。
【００２４】
一方、筐体２１の底部には、正面側から背面側に向けて延びるガイド孔２１Ｈが貫通形成されている。このガイド孔２１Ｈには、上記台座部１２と筐体支持部１３との連結部分１１Ｊが遊挿されている。また、筐体２１の内部には、互いに向かい合う円筒状の一対の筐体回転軸２４が、筐体２１の内表面から筐体支持部１３に向けて延びるように形成されている。これら一対の筐体回転軸２４の各々は、リング状の弾性体Ｒを介して、上記固定軸１４に回転可能に支持されている。
【００２５】
このような構成によれば、例えば、図３に示される状態にて、背面側への力が筐体２１の頂部に作用すると、一対の固定軸１４を通る軸心Ａｓが回転中心となるように、筐体２１は支持体１１に対して回転する。その結果、図５に示されるように、支持体１１に対する筐体２１の姿勢は、軸心Ａｓを回転中心として回転角θだけ背面側へ倒れる。そして、略正面に向けて開口していた空気導出部２１ｂが、略上面に向けて開口することとなる。すなわち、筐体２１自体が支持体１１に対して動くことによって、ミストの供給される方向が調節されることとなる。そのため、供給口としての空気導出部２１ｂが単に筐体２１内で移動する構成と比較して、ミストの供給可能な方向の範囲を広げることが可能となる。
【００２６】
また、筐体２１が支持体１１に対して回転すると、筐体２１に内蔵された各種構成部品も筐体２１とともに回転することになる。そのため、ミストを供給する方向が変わる場合であっても、筐体２１の内部における送風路２３の形状、ミスト生成部２７と空気導出部２１ｂとの相対的な位置関係、それらは概ね保たれる。それゆえに、ミストの供給方向に左右されることなく、ミストの供給状態を安定させることが可能でもある。なお、弾性体Ｒを介して固定軸１４と筐体回転軸２４とが連結されているため、弾性体Ｒと筐体回転軸２４との摩擦力等によって、筐体２１の姿勢を変える際に適度な抵抗を持たせることができる。ちなみに、上述した固定軸１４、筐体回転軸２４、及び弾性体Ｒによって、姿勢可変機構を有する連結部が構成されている。
【００２７】
以上説明したように、第１実施形態によれば、以下の効果が得られる。
（１）ミストを供給する筐体２１自体の姿勢を支持体１１に対して変えることが可能であるため、空気導出部２１ｂの位置を筐体２１内で変える構成と比較して、ミストの供給可能な方向を拡大することが可能となる。
【００２８】
（２）また、ミストを供給する方向を変えた場合でも、筐体２１の内部の送風路の形状やミスト生成部２７と供給口の相対的な位置関係は保たれるので、ミストの供給方向に左右されることなく、ミストの供給状態の安定性を保つことができる。
（第２実施形態）
次に、本発明のミスト発生装置を備えた美容装置の第２実施形態について、第１実施形態との相違点を中心に図６を参照して説明する。なお、第１実施形態と同一又は相当する構成については同一符号を付して重複説明を省略するものとする。
【００２９】
図６に示されるように、台座部１２の上面には、円筒状の台座軸受部１２ａが立設されている。一方、筐体支持部１３の底部には、球形状の先端部を有する支持体回転軸１３ａが上記台座軸受部１２ａに向けて垂設されている。そして、台座軸受部１２ａ内に支持体回転軸１３ａが嵌め込まれることによって、支持体回転軸１３ａが台座軸受部１２ａに回転可能に支持されている。すなわち、筐体２１を支持する筐体支持部１３が台座部１２に回転可能に連結されている。
【００３０】
このような構成によれば、筐体回転軸２４の回転によって、筐体２１を設置面Ｓに対して倒す、あるいは筐体２１を設置面Ｓに対して起すことが可能である。そのうえ、支持体回転軸１３ａの回転によって、筐体２１を設置面Ｓに沿って回転することが可能である。それゆえに、これら筐体回転軸２４の回転と支持体回転軸１３ａの回転との組み合わせにより、より広い範囲の方向にミストを供給することが可能となる。なお、上述の第１実施形態と同様、筐体２１を設置面Ｓに対して倒す場合、筐体２１を設置面Ｓに対して起す場合、さらには筐体２１を設置面Ｓに沿って回転する場合、それら何れの場合であれ、筐体２１が動かされると、筐体２１内部の各種構成部品もともに動かされることとなる。ちなみに、上述した支持体回転軸１３ａ及び台座軸受部１２ａによって、姿勢可変機構を有する連結部が構成されている。
【００３１】
以上説明したように、第２実施形態によれば、上述した（１）、（２）の効果に加え、以下の効果が得られる。
（３）ミストの供給方向を設置面Ｓに沿って回転することが可能であるため、より広い範囲の方向にミストを供給することが可能である。また、ミストの供給方向を設置面Ｓに沿って回転すること、ミストの供給方向を設置面Ｓに対して傾けること、これらの組み合わせによってミストの供給方向の設定における自由度を高めることが可能でもある。
（第３実施形態）
次に、本発明のミスト発生装置を備えた美容装置の第３実施形態について、第２実施形態との相違点を中心に図７を参照して説明する。なお、第１及び第２実施形態と同一又は相当する構成については同一符号を付して重複説明を省略するものとする。
【００３２】
図７に示されるように、台座部１２の上面には、円筒状の台座軸受部１２ｂが立設されている。この台座軸受部１２ｂの先端部は、その周方向の全体にわたり、径方向外側に向かう鉤状に形成されている。一方、筐体支持部１３の底部には、円筒状の支持体回転軸１３ｂが上記台座軸受部１２ｂに向けて垂設されている。この支持体回転軸１３ｂの先端部は、周方向の全体にわたり、径方向内側に向かう鉤状に形成されている。そして、台座軸受部１２ｂの外周に支持体回転軸１３ｂが嵌め込まれることによって、支持体回転軸１３ｂが台座軸受部１２ｂに回転可能に支持されている。
【００３３】
このような構成によれば、筐体回転軸２４の回転によって、筐体２１を設置面Ｓに対して倒す、あるいは筐体２１を設置面Ｓに対して起すことが可能である。そのうえ、支持体回転軸１３ｂの回転によって、筐体２１を設置面Ｓに沿って回転することが可能である。それゆえに、これら筐体回転軸２４の回転と支持体回転軸１３ｂの回転との組み合わせに
より、より広い範囲の方向にミストを供給することが可能となる。なお、上述した支持体回転軸１３ｂ及び台座軸受部１２ｂによって、姿勢可変機構を有する連結部が構成されている。
【００３４】
このように、第３実施形態によっても、第１実施形態の（１）（２）および第２実施形態の（３）と同様の効果が得られる。
（第４実施形態）
次に、本発明のミスト発生装置を備えた美容装置の第４実施形態について、第２および第３実施形態との相違点を中心に図８を参照して説明する。なお、第１〜３実施形態と同一又は相当する構成については同一符号を付して重複説明を省略するものとする。
【００３５】
図８に示されるように、台座部１２の上面には、筐体支持部１３に向けて延びる駆動軸を有した駆動部としての支持部回転モータＭ１が固設されている。この支持部回転モータＭ１の駆動軸は、連結部材Ｍａを介して、筐体支持部１３の底部に垂設された支持体連結軸１３ｃに連結されている。また、筐体支持部１３の上縁には、筐体回転軸２４に向けて延びる駆動軸を有した駆動部としての筐体回転モータＭ２が固設されている。この筐体回転モータＭ２の駆動軸は、連結部材Ｍｂを介して、筐体２１の筐体回転軸２４に連結されている。これら支持部回転モータＭ１及び筐体回転モータＭ２は、制御部ＣＳが出力する駆動信号に応じて回転する。
【００３６】
このような構成によれば、筐体２１の姿勢が制御部ＣＳによって制御される。そのため、例えば、制御部ＣＳにタイマーを設けるとともに、該タイマーが計時する所定の期間毎に筐体２１の姿勢を変えることも可能である。これによれば、筐体２１の姿勢を経時的に変化させることが可能であるため、広範囲の対象に向けて満遍なくミストを供給することができ、ひいては睡眠中等の使用であっても身体の広範囲にミストによる効果を期待できる。
（第５実施形態）
次に、本発明のミスト発生装置を備えた美容装置の第５実施形態について、第１実施形態との相違点を中心に図９〜図１２を参照して説明する。なお、第１実施形態と同一又は相当する構成については同一符号を付して重複説明を省略するものとする。なお、図９に示されるように、第５実施形態における電源コネクタは筐体２１の背面側に設けられている。
【００３７】
図１０に示されるように、筐体２１を支持する支持台４１は、中空の円錐台状に形成されている。この支持台４１の上面には、筐体２１の底部に沿った椀状の摺動凹面４１ａが形成されている。また、摺動凹面４１ａの一部には、該摺動凹面４１ａの中心から該摺動凹面４１ａの外縁に向けて延びるガイド孔４１ｂが形成されている。一方、図１１に示されるように、筐体２１の底部２１ｄには、コマ状に形成された連結部材４２が、上記ガイド孔４１ｂに軸部が挿通されるかたちでねじ止めされている。
【００３８】
このような構成によれば、例えば、図１２の二点鎖線にて示される状態にて、背面側への力が筐体２１の頂部に作用すると、筐体２１の底面が摺動凹面４１ａに沿って摺動する。そして、筐体２１と支持台４１とを連結する連結部材４２がガイド孔４１ｂに沿って移動しつつ、筐体２１が支持台４１に対して回転することとなる。そして、図１２の実線に示されるように、連結部材４２がガイド孔４１ｂの一端に到達するまで、筐体２１は背面側へ倒れる。それゆえに、筐体２１自体が支持台４１に対して動くことによって、ミストの供給される方向が調節されることとなる。そのため、このような構成においても、空気導出部２１ｂが単に筐体２１内で移動する構成と比較して、ミストの供給可能な方向の範囲を広げることが可能となる。なお、上述した摺動凹面４１ａ、ガイド孔４１ｂ、及び連結部材４２によって、姿勢可変機構が構成されている。
（第６実施形態）
次に、本発明のミスト発生装置を備えた美容装置の第６実施形態について、第５実施形態との相違点を中心に図１３及び図１４を参照して説明する。なお、第５実施形態と同一又は相当する構成については同一符号を付して重複説明を省略するものとする。
【００３９】
図１３に示されるように、筐体２１を支持する支持台５１は、中空の円錐台状に形成されている。この支持台５１の上面には、筐体２１の底部に沿った椀状の摺動凹面５１ａが形成されている。また、摺動凹面５１ａの一部には、径方向と直交する方向に延びる３つの嵌合凹部５１ｂが、摺動凹面５１ａの中央から径方向外側に連続的に形成されている。一方、図１４に示されるように、筐体２１の底部には、上述した嵌合凹部５１ｂに嵌合可能な嵌合突起２１ｔが形成されている。そして、この嵌合突起２１ｔが上述した嵌合凹部５１ｂに嵌め込まれることによって、筐体２１の姿勢が固定されている。
【００４０】
このような構成によれば、例えば、図１４の二点鎖線にて示される状態にて、嵌合突起２１ｔと嵌合凹部５１ｂとの嵌合が解除されると、支持台５１に対する筐体２１の姿勢が変更可能となる。そして、嵌合突起２１ｔが他の嵌合凹部５１ｂに嵌め込まれると、図１４の実線にて示されるように、筐体２１が背面側へ倒れた状態で固定される。それゆえに、筐体２１自体が支持台５１に対して動くことによって、ミストの供給される方向が調節されることとなる。そのため、このような構成においても、空気導出部２１ｂが単に筐体２１内で移動する構成と比較して、ミストの供給可能な方向の範囲を広げることが可能となる。なお、嵌合突起２１ｔと嵌合凹部５１ｂとからなる筐体２１と支持台５１との連結部が、ミストを供給する方向の位置調節部となっている。なお、上述した複数の嵌合凹部５１ｂ、及び嵌合突起２１ｔによって、姿勢可変機構が構成されている。
（第７実施形態）
次に、本発明のミスト発生装置を備えた美容装置の第７実施形態について、第６実施形態との相違点を中心に図１５及び図１６を参照して説明する。なお、第６実施形態と同一又は相当する構成については同一符号を付して重複説明を省略するものとする。
【００４１】
図１５に示すように、摺動凹面５１ａの一部には、径方向と直交する方向に延びる３つの嵌合凹部５１ｂが、摺動凹面５１ａの中央から径方向外側に連続的に形成されている。また、上記３つの嵌合凹部５１ｂの各々の一部を貫通するガイド孔５１ｃが、摺動凹面５１ａの中央から径方向外側に延びるように形成されている。
【００４２】
一方、図１６に示されるように、筐体２１の底部には、上述した嵌合凹部５１ｂに嵌合可能な嵌合突起２１ｔが形成されている。また、嵌合突起２１ｔの先端には、上述したガイド孔５１ｃに挿通される軸部２１ｓが、下方に延びるように形成されている。この軸部２１ｓの先端には、大径部２１ｗが形成される一方、該軸部２１ｓの外周には、ガイド孔５１ｃよりも大きい押圧座２１ｇが取り付けられている。そして、軸部２１ｓの外周面のうちで大径部２１ｗと押圧座２１ｇとに挟まれる部分には、コイルばねＳＰが巻き付けられている。
【００４３】
このような構成によれば、コイルばねＳＰの付勢力によって押圧座２１ｇが嵌合凹部５１ｂの底部に押し付けられる。それゆえに、嵌合突起２１ｔと嵌合凹部５１ｂとの嵌合状態がコイルばねＳＰの付勢力の分だけ強固なものとなる。また、図１６の二点鎖線にて示される状態にて、嵌合突起２１ｔと嵌合凹部５１ｂとの嵌合が解除されると、先の第６実施形態と同じく、支持台５１に対する筐体２１の姿勢が変更可能となる。この際、筐体２１の軸部２１ｓの移動がガイド孔５１ｃ及び押圧座２１ｇによって規制されるため、上記嵌合状態が解除された後であっても、筐体２１が背面側へ過度に倒れることもない。
【００４４】
なお、上記の各実施形態は、以下のように変更してもよい。
・第２〜第４実施形態において、筐体２１は、設置面Ｓに対する傾動、もしくは設置面Ｓに沿った回動のみ可変としてもよい。
【００４５】
・第４実施形態において、筐体２１と支持体１１との連結部、および、筐体支持部１３と台座部１２との連結部の両方にモータを備えることとしたが、どちらか一方のみにモータを備えて制御部ＣＳで制御するようにしてもよい。
【００４６】
・第５実施形態において、貫通孔の形状を縦長としたが、これに限らず十字状、もしくは放射線状に形成してもよい。貫通孔をこのような形状にすれば、より広い範囲にミストを供給することができるようになる。
【００４７】
・第６および第７実施形態において、嵌合凹部５１ｂを３つとしたが、嵌合凹部５１ｂの数は任意である。また、嵌合凹部５１ｂを連続でなく離れて形成するようにしてもよい。
【符号の説明】
【００４８】
Ａ…空気流、Ａｓ…軸心、ＣＳ…制御部、Ｍ１…支持部回転モータ、Ｍ２…筐体回転モータ、Ｒ…弾性体、Ｓ…設置面、ＳＰ…コイルばね、１０…美容装置、１１…支持体、１２…台座部、１２ａ，ｂ…台座軸受部、１３…筐体支持部、１３ａ，ｂ…支持体回転軸、１４…固定軸、２１…筐体、２１ａ…空気導入部、２１ｂ…空気導出部、２１ｓ…軸部、２１ｇ…押圧座、２１ｔ…嵌合突起、２１Ｈ，４１ｂ，５１ｃ…ガイド孔、２２…操作部、２３…送風路、２４…筐体回転軸、２５…ファン、２５ａ…送風ポート、２７…ミスト生成部、２７ａ…第１の電極、２７ｂ…第２の電極、２７ｃ…ペルチェ素子、３１…電源ケーブル、３２…ＡＣアダプタ、４１，５１…支持台、４１ａ，５１ａ…摺動凹面、４２…連結部材、５１ｂ…嵌合凹部。
【図１】
0005548581.tif 000002
【図２】
0005548581.tif 000003
【図３】
0005548581.tif 000004
【図４】
0005548581.tif 000005
【図５】
0005548581.tif 000006
【図６】
0005548581.tif 000007
【図７】
0005548581.tif 000008
【図８】
0005548581.tif 000009
【図９】
0005548581.tif 000010
【図１０】
0005548581.tif 000011
【図１１】
0005548581.tif 000012
【図１２】
0005548581.tif 000013
【図１３】
0005548581.tif 000014
【図１４】
0005548581.tif 000015
【図１５】
0005548581.tif 000016
【図１６】
0005548581.tif 000017